【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
第１電力状態と前記第１電力状態より省電力の第２電力状態とを少なくとも有する画像形成装置であって、
人感センサと、
ユーザの操作を受け付ける操作部と、
前記人感センサの検知結果に基づいて前記画像形成装置を前記第２電力状態から前記第１電力状態に移行する制御手段と、を備え、
前記制御手段は、
前記人感センサの検知結果に基づいて前記画像形成装置が前記第２電力状態から前記第１電力状態に移行した後に前記操作部がユーザによって操作された場合、所定時間が経過した後に、前記画像形成装置を前記第１電力状態から前記第２電力状態に移行し、
前記人感センサの検知結果に基づいて前記画像形成装置が前記第２電力状態から前記第１電力状態に移行した後に前記操作部がユーザによって操作されない場合、前記所定時間が経過する前に、前記画像形成装置を前記第１電力状態から前記第２電力状態に移行する、ことを特徴とする画像形成装置。
【請求項２】
前記制御手段は、前記人感センサの検知結果に基づいて前記画像形成装置が前記第２電力状態から前記第１電力状態に移行した後に前記操作部がユーザによって操作されない場合、前記人感センサが人を検知しなくなったことに基づいて、前記画像形成装置を前記第１電力状態から前記第２電力状態に移行させる、ことを特徴とする請求項１に記載の画像形成装置。
【請求項３】
前記制御手段は、
前記人感センサの検知結果に基づいて前記画像形成装置が前記第２電力状態から前記第１電力状態に移行した後に前記操作部がユーザによって操作されずに前記人感センサが人を検知しなくなった場合、前記人感センサが人を検知しなくなったことに従って、前記画像形成装置を前記第１電力状態から前記第２電力状態に移行させる、ことを特徴とする請求項１又は２に記載の画像形成装置。
【請求項４】
前記所定時間は、前記人感センサが人を検知しなくなったときに、計測が開始される、ことを特徴とする請求項１乃至４の何れか１項に記載の画像形成装置。
【請求項５】
前記所定時間は、前記操作部がユーザによって操作されたときに、計測が開始される、ことを特徴とする請求項１乃至４の何れか１項に記載の画像形成装置。
【請求項６】
前記操作部の操作履歴を記憶する記憶部と、
前記制御手段は、前記記憶部に記憶された前記操作履歴に基づいて、前記人感センサの検知結果に基づいて前記画像形成装置が前記第２電力状態から前記第１電力状態に移行した後に前記操作部がユーザによって操作されたか否かを判断する、ことを特徴とする請求項１乃至５の何れか１項に記載の画像形成装置。
【請求項７】
前記操作部は、表示部を有し、
前記第１電力状態では、前記表示部が情報を表示している状態であって、前記第２電力状態では、前記表示部が情報を表示していない状態である、ことを特徴とする請求項１乃至６の何れか１項に記載の画像形成装置。
【請求項８】
前記制御手段は、
前記人感センサの検知結果に基づいて前記画像形成装置が前記第２電力状態から前記第１電力状態に移行した後にジョブが実行されず且つ前記操作部がユーザによって操作されない場合、前記所定時間が経過する前に、前記画像形成装置を前記第１電力状態から前記第２電力状態に移行する、ことを特徴とする請求項１乃至７の何れか１項に記載の画像形成装置。
【請求項９】
前記人感センサは、赤外線を受信する赤外線センサである、ことを特徴とする請求項１乃至８の何れか１項に記載の画像形成装置。
【請求項１０】
前記人感センサは、焦電センサである、ことを特徴とする請求項１乃至９の何れか１項に記載の画像形成装置。
【請求項１１】
用紙に画像を印刷する印刷部をさらに備える、ことを特徴とする請求項１乃至１０の何れか１項に記載の画像形成装置。
【請求項１２】
人感センサとユーザの操作を受け付ける操作部とを備え、第１電力状態と前記第１電力状態より省電力の第２電力状態とを少なくとも有する画像形成装置の制御方法であって、
前記人感センサの検知結果に基づいて前記画像形成装置を前記第２電力状態から前記第１電力状態に移行するステップと、
前記人感センサの検知結果に基づいて前記画像形成装置が前記第２電力状態から前記第１電力状態に移行した後に前記操作部がユーザによって操作された場合、所定時間が経過した後に、前記画像形成装置を前記第１電力状態から前記第２電力状態に移行するステップと、
前記人感センサの検知結果に基づいて前記画像形成装置が前記第２電力状態から前記第１電力状態に移行した後に前記操作部がユーザによって操作されない場合、前記所定時間が経過する前に、前記画像形成装置を前記第１電力状態から前記第２電力状態に移行するステップと、を有することを特徴とする画像形成装置の制御方法。
【請求項１３】
省電力状態を有する画像形成装置であって、
人感センサと、
ユーザの操作を受け付ける操作部と、
前記人感センサの検知結果に基づいて、前記画像形成装置を前記省電力状態から復帰させる制御手段と、を備え、
前記制御手段は、さらに、
前記人感センサの検知結果に基づいて前記画像形成装置が前記省電力状態から復帰した後に前記操作部がユーザによって操作された場合、所定時間が経過することを条件として、前記画像形成装置を前記省電力状態に移行し、前記人感センサの検知結果に基づいて前記画像形成装置が前記省電力状態から復帰した後に前記操作部がユーザによって操作されない場合、前記人感センサが人を検知しなくなることを条件として、前記画像形成装置を前記省電力状態に移行する、ことを特徴とする画像形成装置。
【請求項１４】
前記制御手段は、前記人感センサの検知結果に基づいて前記画像形成装置が前記省電力状態から復帰した後に、前記操作部がユーザによって操作されずに前記人感センサが人を検知しなくなった場合、前記人感センサが人を検知しなくなったことに従って、前記画像形成装置を前記省電力状態に移行する、ことを特徴とする請求項１３に記載の画像形成装置。
【請求項１５】
前記制御手段は、前記人感センサの検知結果に基づいて前記画像形成装置が前記省電力状態から復帰した後に前記操作部がユーザによって操作された場合、前記所定時間が経過したことに従って、前記画像形成装置を前記省電力状態に移行する、ことを特徴とする請求項１３又は１４に記載の画像形成装置。
【請求項１６】
前記制御手段は、前記人感センサの検知結果に基づいて前記画像形成装置が前記省電力状態から復帰した後に前記操作部がユーザによって操作された場合、前記操作部がユーザによって操作されてから前記所定時間が経過したことに従って、前記画像形成装置を前記省電力状態に移行する、ことを特徴とする請求項１５に記載の画像形成装置。
【請求項１７】
前記人感センサは、焦電センサである、ことを特徴とする請求項１３乃至１６の何れか１項に記載の画像形成装置。
【請求項１８】
前記操作部は、表示部を有し、
前記省電力状態では、前記表示部が情報を表示していない状態である、ことを特徴とする請求項１３乃至１７の何れか１項に記載の画像形成装置。
【請求項１９】
人感センサとユーザの操作を受け付ける操作部とを備え、省電力状態を有する画像形成装置の制御方法であって、
前記人感センサの検知結果に基づいて、前記画像形成装置を前記省電力状態から復帰させるステップと、
前記人感センサの検知結果に基づいて前記画像形成装置が前記省電力状態から復帰した後に前記操作部がユーザによって操作された場合、所定時間が経過することを条件として、前記画像形成装置を前記省電力状態に移行するステップと、
前記人感センサの検知結果に基づいて前記画像形成装置が前記省電力状態から復帰した後に前記操作部がユーザによって操作されない場合、前記人感センサが人を検知しなくなることを条件として、前記画像形成装置を前記省電力状態に移行するステップと、を有することを特徴とする画像形成装置。
【手続補正２】
【補正対象書類名】明細書
【補正対象項目名】０００７
【補正方法】変更
【補正の内容】
【０００７】
上記目的を達成する本発明の画像形成装置は以下に示す構成を備える。
第１電力状態と前記第１電力状態より省電力の第２電力状態とを少なくとも有する画像形成装置であって、人感センサと、ユーザの操作を受け付ける操作部と、前記人感センサの検知結果に基づいて前記画像形成装置を前記第２電力状態から前記第１電力状態に移行する制御手段と、を備え、前記制御手段は、前記人感センサの検知結果に基づいて前記画像形成装置が前記第２電力状態から前記第１電力状態に移行した後に前記操作部がユーザによって操作された場合、所定時間が経過した後に、前記画像形成装置を前記第１電力状態から前記第２電力状態に移行し、前記人感センサの検知結果に基づいて前記画像形成装置が前記第２電力状態から前記第１電力状態に移行した後に前記操作部がユーザによって操作されない場合、前記所定時間が経過する前に、前記画像形成装置を前記第１電力状態から前記第２電力状態に移行する、ことを特徴とする。